(57)【要約】      （修正有）【課題】地震等が起きたとき、その振動によって窓ガラスが割れ、部屋の内部にガラスが飛散し、室内に居住する人にけがを発生するのを防止する。【解決手段】カーテン１と前記カーテンを吊り下げるカーテンレール５と前記カーテンの下部３を袋状に構成し、前記カーテン１の端部２を保持するため、地震等が発生して振動により窓ガラスが割れ、その割れたガラスが落下してもカーテン１の袋内に留まって、室内に落下して飛散することがなく安全である。【選択図】図１
2010119473.tif 000002
【特許請求の範囲】
【請求項１】
カーテンと前記カーテンを吊り下げるカーテンレールと前記カーテンの下部を袋状に構成し、前記カーテンの端部を保持することを特徴とするカーテン装置。
【請求項２】
カーテンの下部を折り返し、袋状に構成する特許請求範囲１記載のカーテン装置。
【請求項３】
カーテン端部は、下部カーテンレールに取り付けれらた特許請求範囲１または２記載のカーテン装置。
【請求項４】
複数のカーテンを有し、前記カーテンのそれぞれを接合する面ファスナーを設けた、特許請求の範囲１〜３のいずれか一項記載のカーテン装置。
【発明の詳細な説明】
【技術分野】
【０００１】
この発明は、地震の時に役立つカーテンである。                
【背景技術】
【０００２】
従来のカーテンは、裾部が、窓面と接合していない為、もし、窓ガラスが割れても、簡単に室内に割れた窓ガラスが、落ちてきます。割れた窓ガラスがあると、地震で、逃げようとしても、足に刺さり、怪我をし、逃げ遅れる恐れがあります。
【特許文献１】登録実用新案公報  第３０４３１８９号
【発明の開示】
【発明が解決しようとする課題】
【０００３】
従来の二重カーテンでは、皺を防ぐ事が出来やすくなっているが、割れたガラスの飛散を防ぐ事は出来ない。本発明の目的は、割れた窓ガラスの飛散をいかに最小に止めるかである。
【課題を解決するための手段】
【０００４】
カーテンと前記カーテンを吊り下げるカーテンレールと前記カーテンの下部を袋状に構成し、前記カーテンの端部を保持するため、袋状になった部分に割れた窓ガラスが溜まり、室内へ飛散するのを防止できる。
【発明の効果】
【０００５】
割れた窓ガラスが、室内に入りにくく安全である。
特別な装置を必要とせず、普通のカーテンとして使用できる。
美観を損なわない。
【発明を実施するための最良の形態】
【０００６】
本発明の実施例を図１に基づいて説明する。１はカーテンであり、カーテン１の上部には、カーテンレール５があって吊り下げられており、窓ガラス（図示せず）に沿って、隣接して設けられている。カーテン１の下部の３の部分で内側に折り返され、裾部は、４の下部カーテンレール又は、カーテン用のポールに吊り下げられている。その為裾部は、図２に示すように内側に二重になっています。
カーテン１の両端部２の部分は縫製してある。
カーテン１の下部３の部分は、ごわつきを防ぐため、表側から、縫製してあります。
カーテン１には、面ファスナー６と７がそれぞれ設けられており、中央で、両サイドのカーテンを接合することが可能である。
【０００７】
次に動作について述べる。
地震が発生すると、その地震により、窓ガラスが割れてその破片８が散乱しながら落下し、図１又は図２に示すように、カーテン１の内側の折り返した部分の裾部に溜められる。
カーテン１の両端部２を縫製しているため、角の部分からのこぼれ落ちを防ぐ事ができる。
カーテン１を図１に示すように２枚設け、その中央部で面ファスナー６と７を使用して接合しているため、中央からのガラスの飛散を防ぐ事ができる。
別の方法として、下部のカーテンレールやカーテン用ポールを使用しない場合は、窓の下方壁面に面ファスナーを付け、カーテン端部にも面ファスナーを取り付け、下方で接合し、袋状にする事も可能である。
【図面の簡単な説明】
【０００８】
【図１】本発明の実施例を示す構成図
【図２】本発明の側面からの構成図
【符号の説明】
【０００９】
１  カーテン
２  カーテンの両端部
３  カーテンの下部
４  下側のカーテンレール
５  上側のカーテンレール
６  面ファスナー
７  面ファスナー
８  割れた窓ガラスの破片
【図１】
2010119473.tif 000003
【図２】
2010119473.tif 000004
【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
窓を覆うカーテンと、前記カーテンを保持するカーテンレールと、前記カーテンの下端部を前記窓側に折り返してカーテン幅全域にわたって袋状に構成し、前記窓より下に設けた下部カーテンレール又は下部カーテンポール又は下部面ファスナーで前記カーテンの下端部を保持することを特徴とする、地震対応カーテン。
【請求項２】
ガラスの破片の落下を防ぐためカーテンの下端部の両端部を縫製したことを特徴とする請求の範囲１記載の地震対応カーテン。
【請求項３】
カーテン１の下端部を表側から縫製したことを特徴とする請求の範囲１記載の地震対応カーテン。
【手続補正２】
【補正対象書類名】明細書
【補正対象項目名】全文
【補正方法】変更
【補正の内容】
【発明の詳細な説明】
【技術分野】
【０００１】
この発明は、地震の時に役立つカーテンである。
【背景技術】
【０００２】
従来のカーテンは、裾部が窓面と接合していない為、もし、窓ガラスが割れても、簡単に室内に割れた窓ガラスが、落ちてきます。割れた窓ガラスがあると、地震で、逃げようとしても、足に刺さり、怪我をし逃げ遅れる恐れがあります。
【特許文献１】登録実用新案  第3043189号公報
【発明の開示】
【発明が解決しようとする課題】
【０００３】
従来の二重カーテンでは、皺を防ぐ事が出来やすくなっているが、割れたガラスの飛散を防ぐ事は出来ない。本発明の目的は、割れたガラスの飛散をいかに最小に止めるかである。
【課題を解決するための手段】
【０００４】
カーテンの下部を窓側に折り返し、袋状に構成し、前記カーテンの端部を下部カーテンレール又は、下部カーテンポール又は、下部面ファスナーで保持することを特徴とするカーテン装置である為、窓ガラスが割れたとき、窓ガラスの破片を収納することが出来る。
下部カーテンレール又は、下部カーテンポール又は、下部面ファスナーは窓ガラスの下の枠より下に設置しなければならない。
理由は、割れた窓ガラスの破片をキャッチするためである。
【発明の効果】
【０００５】
割れた窓ガラスが、室内に入りにくく安全である。
特別な装置を必要とせず、普通のカーテンとして使用でき、美観を損なわない。
【発明を実施するための最良の形態】
【０００６】
本発明の実施例を図１に基づいて説明する。１はカーテンであり、カーテン１の上部には、カーテンレール５があって吊り下げられており、窓ガラス９に沿って、隣接して設けられている。カーテン１の下部の３の部分で内側に折り返され、裾部は、４の下部カーテンレール又は、下部カーテンポール又は、下部面ファスナーに吊り下げられている。その為裾部は、図２に示すように内側に二重になっています。
カーテン１の両端部２の部分は縫製してある。
カーテン１の下部３の部分は、ごわつきを防ぐため、表側から、縫製してあります。カーテン１には、面ファスナー６と７がそれぞれ設けられており、中央で、両サイドのカーテンを接合することが可能である。
【０００７】
次に動作について述べる。
地震が発生すると、その地震により、窓ガラス９が割れて、その破片８が散乱しながら落下し、図１又は、図２に示すように、カーテン１の内側の折り返した部分の裾部に溜められる。
カーテン１の両端部２を縫製しているため、角の部分からこぼれ落ちを防ぐ事ができる。
カーテン１を図１に示すように2枚設け、その中央部で面ファスナー６と７を使用して接合しているため、中央からガラスの飛散を防ぐ事ができる。
【図面の簡単な説明】
【０００８】
【図１】本発明の実施例を示す構成図
【図２】本発明の側面からの構成図
【符号の説明】
【０００９】
１  カーテン
２  カーテンの両端部
３  カーテンの下部
４  下部カーテンレール
５  上側のカーテンレール
６  面ファスナー
７  面ファスナー
８  割れた窓ガラスの破片
９  窓ガラス
【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
窓を覆うカーテンと、前記カーテンの上部を保持するカーテンレールを有し、前記カーテンの下端部を前記窓より下側で前記窓側に折り返してカーテン幅全域にわたって袋状に構成し、前記窓より下でなおかつ窓面とほぼ同一面に設けた下部カーテンレール又は下部カーテンポールで前記カーテン端部を保持し、割れたガラスをキャッチすることを特徴とする地震対応カーテン。

【手続補正２】
【補正対象書類名】明細書
【補正対象項目名】全文
【補正方法】変更
【補正の内容】
【発明の詳細な説明】
【技術分野】
【０００１】
この発明は、地震の時に役立つカーテンである。
【背景技術】
【０００２】
従来のカーテンは、裾部が窓面と接合していない為、もし、窓ガラスが割れても、簡単に室内に割れた窓ガラスが、落ちてきます。割れた窓ガラスがあると、地震で逃げようとしても、足に刺さり、怪我をし逃げ遅れる恐れがあります。
【特許文献１】登録実用新案  第3043189号公報
【発明の開示】
【発明が解決しようとする課題】
【０００３】
従来の二重カーテンでは、皺を防ぐ事が出来やすくなっているが、割れたガラスの飛散を防ぐ事は出来ない。本発明の目的は、割れたガラスの飛散をいかに最小に止めるかである。
【課題を解決するための手段】
【０００４】
本発明のカーテンは、カーテンの下端部を窓より下側で窓側に折り返してカーテン幅全域にわたって袋状に構成し、窓より下でなおかつ窓面とほぼ同一面に設けた下部カーテンレール又は下部カーテンポールで割れたガラスをキャッチする地震対応カーテンであるため、地震が発生して窓ガラスが割れ落下しても、カーテンの袋状になった部分でキャッチする。
【発明の効果】
【０００５】
割れた窓ガラスが、室内に入りにくく安全である。
特別な装置を必要とせず、普通のカーテンとして使用でき、美観を損なわない。
【発明を実施するための最良の形態】
【０００６】
本発明の実施例を図１に基づいて説明する。１はカーテンであり、カーテン１の上部には、カーテンレール５があって吊り下げられており、窓ガラス９に沿って、隣接して設けられている。カーテン下部３の部分でカーテンの下端部を窓より下側で窓側に折り返してカーテン幅全域にわたって袋状に構成し、窓より下でなおかつ窓面９とほぼ同一面に設けた下部カーテンポール４でカーテン端部を保持し割れたガラスをキャッチする。
【０００７】
次に動作について述べる。
地震が発生すると、その地震により、窓ガラス９が割れて、その破片８が散乱しながら落下し、図１又は、図２に示すように、カーテン１の下端部を窓より下側で窓側に折り返した裾部に溜められる。なおカーテンポール４は窓ガラス９とほぼ同一面に設けられている為、極力割れた窓ガラスの破片８をキャッチする。
【図面の簡単な説明】
【０００８】
【図１】本発明の実施例を示す構成図
【図２】本発明の側面からの構成図
【符号の説明】
【０００９】
１  カーテン
２  カーテンの両端部
３  カーテンの下部
４  下部カーテンレール
５  上側のカーテンレール
６  面ファスナー
７  面ファスナー
８  割れた窓ガラスの破片
９  窓ガラス